(57)【要約】      （修正有）【課題】移動サービス推薦方法およびシステムを提供する。【解決手段】移動サービス推薦サーバが第１ユーザ端末からの１つまたは複数の第２ユーザ端末が指定される移動サービス推薦要求を受信した後に、位置サービス管理ネットワークへ位置サービス要求を送信し、位置サービス管理ネットワークが第２ユーザ端末の位置情報、および第２ユーザ端末の所属するクローズドサブスクライバグループ（ＣＳＧ）エリアの位置情報を移動サービス推薦サーバに提供し、移動サービス推薦サーバが各第２ユーザ端末へ移動サービス推薦確認を送信し、第２ユーザ端末がＣＳＧエリア位置イベントの発生を決定すると、位置サービス管理ネットワークへ位置イベント報告を送信し、位置サービス管理ネットワークにより移動サービス推薦サーバをトリガーして移動サービスプッシュを行う。【選択図】図６
2011188492.tif 000002
【特許請求の範囲】
【請求項１】
通信ネットワークにおける移動サービス推薦方法であって、
移動サービス推薦サーバが第１ユーザ端末からの移動サービス推薦要求を受信した後に、位置サービス管理ネットワークへ位置サービス要求を送出し、前記移動サービス推薦要求に１つまたは複数の第２ユーザ端末が指定されるステップＡと、
前記位置サービス管理ネットワークが前記１つまたは複数の第２ユーザ端末の位置情報、および前記第２ユーザ端末の所属するクローズドサブスクライバグループ（ＣＳＧ）エリアの位置情報を前記移動サービス推薦サーバに提供するステップＢと、
前記移動サービス推薦サーバが各第２ユーザ端末へ移動サービス推薦確認を送出するステップＣと、
いずれの第２ユーザ端末がＣＳＧエリア位置イベントの発生を決定すると、前記位置サービス管理ネットワークへ位置イベント報告を送出し、前記位置サービス管理ネットワークにより前記移動サービス推薦サーバをトリガーして移動サービスプッシュを行うステップＤと、
を含むことを特徴とする方法。
【請求項２】
前記位置サービス管理ネットワークが、移動性管理エンティティ（ＭＭＥ）と、ゲートウェイ移動位置センター（ＧＭＬＣ）と、ＣＳＧリスト管理サーバと、を含み、
ステップＢの前に、
前記ＧＭＬＣが前記ＭＭＥへユーザおよびＣＳＧエリア位置提供の要求を送出し、前記ＭＭＥにより前記ＣＳＧリスト管理サーバへＣＳＧエリア位置問い合わせを送出するステップＥ１と、
前記ＣＳＧリスト管理サーバが問い合わせるＣＳＧエリア位置を前記ＭＭＥに返信するステップＥ２と、
前記ＭＭＥが前記移動サービス推薦要求で指定された１つまたは複数の第２ユーザ端末へ位置イベントコール要求を送出するステップＥ３と、
位置イベントコール要求に対する前記１つまたは複数の第２ユーザ端末の返信に基づいて、前記ＭＭＥが前記ＧＭＬＣへユーザおよびＣＳＧエリア位置提供の確認を返信するステップＥ４と、
をさらに含むことを特徴とする請求項１に記載の方法。
【請求項３】
前記ステップＥ４において、
位置イベントコール確認を返信した第２ユーザ端末に対して、前記ＭＭＥがユーザおよびＣＳＧエリア位置提供の確認に当該第２ユーザ端末の位置情報およびその所属するＣＳＧエリアの位置情報を付け、
位置イベントコール確認を返信しなかった第２ユーザ端末に対して、前記ユーザおよびＣＳＧエリア位置提供の確認に当該第２ユーザ端末の位置情報およびその所属するＣＳＧエリアの位置情報を付けないこと、
をさらに含むことを特徴とする請求項２に記載の方法。
【請求項４】
前記位置サービス管理ネットワークは、ＣＳＧエリア位置イベント管理サーバをさらに含み、
ステップＥ４の後に、前記ＧＭＬＣが前記ＣＳＧエリア位置イベント管理サーバへＣＳＧエリア位置イベント登録を開始し、当該登録メッセージにユーザおよびＣＳＧエリア位置定義、位置イベント定義が含まれるステップＥ５と、
をさらに含むことを特徴とする請求項２に記載の方法。
【請求項５】
ステップＤにおいて前記第２ユーザ端末がＣＳＧエリア位置イベントの発生を決定することは、
第２ユーザ端末が自局が商店ＣＳＧエリアに入りまたは商店ＣＳＧエリアから離れることを検出した場合、ＣＳＧエリア位置イベントの発生を決定し、
または、
第２ユーザ端末がそれが自局の所属するホームＣＳＧエリアに入ることを検出した場合、ＣＳＧエリア位置イベントの発生を決定し、
または、
第１のユーザ端末が自局がほかの第２ユーザ端末の所属するホームＣＳＧエリアに入りまたはほかの第２ユーザ端末の所属するホームＣＳＧエリアから離れることを検出した場合、ＣＳＧエリア位置イベントの発生を決定すること、
を含むことを特徴とする請求項１に記載の方法。
【請求項６】
移動サービス推薦システムであって、
１つまたは複数の第２ユーザ端末が指定されている移動サービス推薦要求を送出する第１ユーザ端末と、
前記第１ユーザ端末からの移動サービス推薦要求を受信し、位置サービス管理ネットワークへ位置サービス要求を送出する移動サービス推薦サーバと、
前記１つまたは複数の第２ユーザ端末の位置情報、および前記第２ユーザ端末の所属するクローズドサブスクライバグループ（ＣＳＧ）エリアの位置情報を前記移動サービス推薦サーバに提供する位置サービス管理ネットワークと、を含み、
前記移動サービス推薦サーバが、さらに各第２ユーザ端末へ移動サービス推薦確認を送出し、
前記いずれの第２ユーザ端末が、位置イベントの発生を検出した際に、前記位置サービス管理ネットワークへ位置イベント報告を送信し、前記位置サービス管理ネットワークにより前記移動サービス推薦サーバをトリガーして移動サービスプッシュを行う、
ことを特徴とするシステム。
【請求項７】
前記位置サービス管理ネットワークは、ゲートウェイ移動位置センター（ＧＭＬＣ）と、移動性管理エンティティ（ＭＭＥ）と、ＣＳＧリスト管理サーバと、を含み、
前記ＧＭＬＣが前記ＭＭＥへユーザおよびＣＳＧエリア位置提供の要求を送出し、
前記ＭＭＥが前記ＣＳＧリスト管理サーバへＣＳＧエリア位置問い合わせを送出し、
前記ＣＳＧリスト管理サーバが問い合わせるＣＳＧエリア位置を前記ＭＭＥに返信し、
前記ＭＭＥがさらに前記移動サービス推薦要求によって指定された１つまたは複数の第２ユーザ端末へ位置イベントコール要求を送出し、位置イベントコール要求に対する前記１つまたは複数の第２ユーザ端末の返信に基づいて、前記ＧＭＬＣへユーザおよびＣＳＧエリア位置提供の確認を返信する、
ことを特徴とする請求項６に記載のシステム。
【請求項８】
前記位置サービス管理ネットワークは、前記ＧＭＬＣによって開始されたＣＳＧエリア位置イベント登録を受信し、ＣＳＧエリア位置イベント管理対象を生成するＣＳＧエリア位置イベント管理サーバ、をさらに含むことを特徴とする請求項７に記載のシステム。
【請求項９】
前記移動サービス推薦サーバは、
ユーザがユーザ端末を介してポータルに移動サービス推薦サービスを登録し、または店がポータルを介してユーザへＣＳＧエリア位置イベントに関連する移動サービスをプッシュするように、ログインできる移動サービス推薦ポータルを提供するポータルモジュールと、
ユーザ端末へ事業者または店からの移動サービスをプッシュする移動サービスプッシュモジュールと、
を含むことを特徴とする請求項６に記載のシステム。
【請求項１０】
前記移動サービス推薦サーバは、ユーザまたは店の登録を管理し、ＣＳＧエリア位置イベントに基づく移動サービス推薦ログを生成し、および統計課金情報を生成するログ管理および統計課金モジュールと、をさらに含むことを特徴とする請求項９に記載のシステム。
【請求項１１】
前記ユーザ端末は、
移動サービス推薦ポータルにアクセスし、および／または前記移動サービス推薦サーバからプッシュされた移動サービスを受信するインターフェースモジュールと、
当該ユーザ端末によってアクセス許容されたＣＳＧ識別子を管理するＣＳＧ管理モジュールと、
ＣＳＧエリア位置イベントの発生を監視し、前記位置サービス管理ネットワークへＣＳＧエリア位置イベントを報告するイベント管理モジュールと、
を含むことを特徴とする請求項６に記載のシステム。
【請求項１２】
前記ユーザ端末は、当該ユーザ端末がアイドル状態または接続状態でＣＳＧエリアに入ることを制御する移動性制御モジュール、をさらに含むことを特徴とする請求項１１に記載のシステム。
【発明の詳細な説明】
【技術分野】
【０００１】
本発明は通信技術における進化型パケットシステム（ＥＰＳ：Ｅｖｏｌｖｅｄ  Ｐａｃｋｅｔ  Ｓｙｓｔｅｍ）のサービス応用に関し、特に、ＥＰＳにおいてユーザ機器（ＵＥ：Ｕｓｅｒ  Ｅｑｕｉｐｍｅｎｔ）がクローズドサブスクライバグループ（ＣＳＧ：Ｃｌｏｓｅｄ  Ｓｕｂｓｃｒｉｂｅｒ  Ｇｒｏｕｐ）エリアにアクセスする場合の、ＣＳＧエリア位置イベントの感知に基づく移動サービス推薦方法および相応のシステムに関する。
【背景技術】
【０００２】
進化型パケットシステム（ＥＰＳ：Ｅｖｏｌｖｅｄ  Ｐａｃｋｅｔ  Ｓｙｓｔｅｍ）は３ＧＰＰで開発された、ＬＴＥ（Ｌｏｎｇ  Ｔｅｒｍ  Ｅｖｏｌｕｔｉｏｎ）システムに基づくネットワークアーキテクチャである。位置サービスに関連するＥＰＳアーキテクチャは図１に示すように、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と、進化型パケットコア（ＥＰＣ：Ｅｖｏｌｖｅｄ  Ｐａｃｋｅｔ  Ｃｏｒｅ）と、を含む。
【０００３】
図１に示すように、位置サービスに関連するＥＰＣは、移動性管理エンティティ（ＭＭＥ：Ｍｏｂｉｌｉｔｙ  Ｍａｎａｇｅｍｅｎｔ  Ｅｎｔｉｔｙ）と、Ｅ−ＳＭＬＣ（Ｅｖｏｌｖｅｄ−Ｓｅｒｖｉｎｇ  Ｍｏｂｉｌｅ  Ｌｏｃａｔｉｏｎ  Ｃｅｎｔｅｒ）と、ゲートウェイ移動位置センター（ＧＭＬＣ：Ｇａｔｅｗａｙ  Ｍｏｂｉｌｅ  Ｌｏｃａｔｉｏｎ  Ｃｅｎｔｅｒ）と、サービングゲートウェイ（ＳＧＷ：Ｓｅｒｖｉｎｇ  Ｇａｔｅｗａｙ）と、パケットデータネットワークゲートウェイ（ＰＧＷ：Ｐａｃｋｅｔ  Ｄａｔａ  Ｎｅｔｗｏｒｋ  Ｇａｔｅｗａｙ）と、ホーム加入者サーバ（ＨＳＳ：Ｈｏｍｅ  Ｓｕｂｓｃｒｉｂｅｒ  Ｓｅｒｖｅｒ）と、を含む。
【０００４】
ここで、ＭＭＥはＥＰＳの制御面ネットワークエンティティであり、主にユーザ機器（ＵＥ：Ｕｓｅｒ  Ｅｑｕｉｐｍｅｎｔ）の移動性管理、セッション管理、非アクセス層シグナリングの処理とセキュリティ暗号化機能、シグナリングの合法的傍受、ＰＧＷ／ＳＧＷ／ＭＭＥの選択機能、アラームメッセージの伝送、アラームメッセージのための好適な基地局（ｅＮＢ：Ｅｖｏｌｖｅｄ  ＮｏｄｅＢ）またはホーム基地局（ＨｅＮＢ：Ｈｏｍｅ  Ｅｖｏｌｖｅｄ  ＮｏｄｅＢ）の選択などを担う。具体的に、ＭＭＥはＳ１−ＭＭＥインターフェースを介してｅＮＢ／ＨｅＮＢに接続される。
【０００５】
Ｅ−ＳＭＬＣはＵＥ位置を算出し、補助データを送信する位置決めセンターであり、主にＵＥおよび／またはｅＮＢとやりとりして位置決め算出を完成し、補助データをＵＥに送信し、位置決め全体の協調を実行し、位置決めに必要なリソースをスケジューリングすることなどを担う。Ｅ−ＳＭＬＣはＳＬｓインターフェースを介してＭＭＥに接続される。
【０００６】
ＧＭＬＣは位置サービスクライアント（Ｃｌｉｅｎｔ）と移動ネットワークとの間のゲートウェイであり、主に位置サービスの登録認証、位置決め要求のＭＭＥへの送信、ＭＭＥからの最終的な位置決め結果の受信、複数のＧＭＬＣ間の通信などを担う。ＧＭＬＣはＳＬｇインターフェースを介してＭＭＥに接続される。
【０００７】
ＳＧＷはＥＰＳのユーザ面ネットワークエンティティであり、ｅＮＢ／ＨｅＮＢ間の切り替えの移動性アンカーであり、３ＧＰＰシステム間の切り替えの移動性アンカーでもあり、パケットのルーティングおよび転送機能、ユーザ面の合法的傍受、アイドル状態ＵＥの下りデータのキャッシュ、ローミング際のホームルーティングデータの上り下り課金などの機能を実行する。ＳＧＷはＳ１−Ｕインターフェースを介してｅＮＢ／ＨｅＮＢに接続される。
【０００８】
ＰＧＷはＥＰＳネットワークとパケットデータネットワーク（例えば、Ｉｎｔｅｒｎｅｔ）とを接続するゲートウェイであり、主に上り下りデータストリームの閾値制御、ＵＥのＩＰアドレス割当、合法的傍受などの機能を処理する。
【０００９】
ＨＳＳは、ユーザのサブスクリプションデータ、例えば、ユーザ識別子、携帯電話番号、各種類のサブスクリプションのサービス品質（ＱｏＳ：Ｑｕａｌｉｔｙ  ｏｆ  Ｓｅｒｖｉｃｅ）パラメータ、ユーザに対してサービスを提供するＭＭＥおよびＰＧＷのアドレスなどを保存する。
【００１０】
ＥＰＳにおいて、位置イベントに基づく位置サービスの汎用的な操作フローは図２に示すようである。
【００１１】
ステップ２０１で、クライアント（Ｃｌｉｅｎｔ）はネットワーク側からＧＭＬＣへＵＥ位置の取得を要求するための位置サービス要求を開始する。当該要求メッセージには、位置エリア定義、位置イベント定義、要求の有効時間期限などが含まれる。
【００１２】
ステップ２０２で、ＧＭＬＣからＭＭＥへユーザ位置提供の要求を送信し、当該要求メッセージには、位置エリア定義、位置イベント定義、要求の有効時間期限などが含まれる。ここで、ステップ２０２における位置エリア定義は、すでにステップ２０１の位置サービス要求における地理形状で記述された定義から国別コード、ネットワークコード、およびセルコードなどで記述された定義に変換した。
【００１３】
ステップ２０３で、後続（ステップ２０４とステップ２０５を参照）においてＭＭＥがＵＥの位置イベント支持能力を検証するように、ＭＭＥとＵＥの間ではページング、認証および通知を実行する。
【００１４】
ステップ２０４で、ＭＭＥはセル位置決定済みのＵＥへ位置イベントコールを送信し、当該コールメッセージには位置イベント定義が付けられ、具体的に、位置イベント内容、位置イベント報告頻度、位置イベント有効期限などが含まれる。
【００１５】
ステップ２０５で、ステップ２０４の位置イベントコールがＵＥに正確に受信され、かつＵＥがコールメッセージに付けられている位置イベント定義を支持する場合、ＵＥはＭＭＥへ位置イベントコール確認を返信するとともに、位置イベントの発生を監視し始める。
【００１６】
ステップ２０６で、ＭＭＥはＵＥの位置イベントコール確認を受信した後に、ＧＭＬＣへユーザ位置提供の確認を返信し、当該ステップはステップ２０２に対応している。
【００１７】
ステップ２０７で、ＧＭＬＣはユーザ位置提供の確認を受信した後に、ステップ２０１で送出された位置サービス要求が成功に受け入れたかどうかを通知するための位置サービス応答をクライアントへ返信する。
【００１８】
ステップ２０８で、位置イベントの発生がＵＥに監視された。
【００１９】
ステップ２０９で、ＵＥはＭＭＥの回路ドメインまたはグループドメインとの接続を確立した後に、ＭＭＥへ位置イベント報告を送信する。位置イベント報告の定義により、一回の位置イベント報告であれば、当該報告を送信した後、ＵＥは位置イベント発生の監視を終了し、複数回の位置イベント報告であれば、当該報告を送信した後、ＵＥは位置イベント発生の監視を継続するが、２回の報告の時間間隔が最小間隔時間を超えない。
【００２０】
ステップ２１０で、ＭＭＥはＧＭＬＣへ位置イベントの発生を指示するためのユーザ位置報告を送信する。
【００２１】
ステップ２１１で、ＧＭＬＣはユーザ位置報告を正確に受信した後に、ＭＭＥへユーザ位置報告確認を返信し、当該ステップはステップ２１０に対応している。このとき、ＭＭＥは課金情報を記録することができる。
【００２２】
ステップ２１２で、ＧＭＬＣはクライアントへ位置サービス応答を返信し、当該ステップはステップ２０１に対応している。このとき、ＧＭＬＣは課金情報を記録することができる。
【００２３】
従来技術におけるこのような位置サービスの典型的な応用としては、１つの移動ユーザが、もう１つの移動ユーザに対するある位置イベントのリマインダーサービスをサブスクライブすることである。例えば、両親がリマインダーサービスをサブスクライブした場合、子供が毎日学校エリア位置に入ると、両親に当該位置イベントが報告される。
【００２４】
ホーム基地局がホームエリア内に配置されることに伴って、移動ユーザはクローズドホーム基地局にカバーされたＣＳＧエリアと連絡を確立する。また、店も商店ＣＳＧエリア内に開放または半開放式のホーム基地局を配置する。如何に移動ユーザとこれらのＣＳＧエリアとの間の連絡を利用して、関連移動サービスの推薦をトリガーするかに関して、従来技術には相応のソリューションがない。
【発明の概要】
【発明が解決しようとする課題】
【００２５】
本発明は上記に鑑みてなされたものであって、ＣＳＧエリア位置イベントの感知に基づく移動サービス推薦方法およびシステムを提供することを主な目的として、ネットワークサーバ（例えば、Ｉｎｔｅｒｎｅｔと接続する移動サービス推薦サーバ）および位置サービス管理ネットワーク（例えば、ＥＰＣ）における１つまたは複数の設備を介して、１つまたは複数のＵＥがあるＣＳＧエリアに入りまたはあるＣＳＧエリアから離れる際に、ネットワークは位置イベントの発生を感知して、ユーザに関連移動サービスを推薦することを実現することができる。
【課題を解決するための手段】
【００２６】
上記の目的を達成するために、本発明の解決手段は具体的に以下のように実現される。
【００２７】
通信ネットワークにおける移動サービス推薦方法であって、移動サービス推薦サーバが第１ユーザ端末からの移動サービス推薦要求を受信した後に、位置サービス管理ネットワークへ位置サービス要求を送出し、前記移動サービス推薦要求に１つまたは複数の第２ユーザ端末が指定されるステップＡと、前記位置サービス管理ネットワークが前記１つまたは複数の第２ユーザ端末の位置情報、および前記第２ユーザ端末の所属するクローズドサブスクライバグループ（ＣＳＧ）エリアの位置情報を前記移動サービス推薦サーバに提供するステップＢと、前記移動サービス推薦サーバが各第２ユーザ端末へ移動サービス推薦確認を送出するステップＣと、いずれの第２ユーザ端末がＣＳＧエリア位置イベントの発生を決定すると、前記位置サービス管理ネットワークへ位置イベント報告を送出し、前記位置サービス管理ネットワークにより前記移動サービス推薦サーバをトリガーして移動サービスプッシュを行うステップＤと、を含む。
【００２８】
前記位置サービス管理ネットワークが、移動性管理エンティティ（ＭＭＥ）と、ゲートウェイ移動位置センター（ＧＭＬＣ）と、ＣＳＧリスト管理サーバと、を含み、ステップＢの前に、前記ＧＭＬＣが前記ＭＭＥへユーザおよびＣＳＧエリア位置提供の要求を送出し、前記ＭＭＥにより前記ＣＳＧリスト管理サーバへＣＳＧエリア位置問い合わせを送出するステップＥ１と、前記ＣＳＧリスト管理サーバが問い合わせるＣＳＧエリア位置を前記ＭＭＥに返信するステップＥ２と、前記ＭＭＥが前記移動サービス推薦要求で指定された１つまたは複数の第２ユーザ端末へ位置イベントコール要求を送出するステップＥ３と、位置イベントコール要求に対する前記１つまたは複数の第２ユーザ端末の返信に基づいて、前記ＭＭＥが前記ＧＭＬＣへユーザおよびＣＳＧエリア位置提供の確認を返信するステップＥ４と、をさらに含む。
【００２９】
前記ステップＥ４において、位置イベントコール確認を返信した第２ユーザ端末に対して、前記ＭＭＥがユーザおよびＣＳＧエリア位置提供の確認に当該第２ユーザ端末の位置情報およびその所属するＣＳＧエリアの位置情報を付け、位置イベントコール確認を返信しなかった第２ユーザ端末に対して、前記ユーザおよびＣＳＧエリア位置提供の確認に当該第２ユーザ端末の位置情報およびその所属するＣＳＧエリアの位置情報を付けないこと、をさらに含む。
【００３０】
前記位置サービス管理ネットワークは、ＣＳＧエリア位置イベント管理サーバをさらに含み、ステップＥ４の後に、前記ＧＭＬＣが前記ＣＳＧエリア位置イベント管理サーバへＣＳＧエリア位置イベント登録を開始し、当該登録メッセージにユーザおよびＣＳＧエリア位置定義、位置イベント定義が含まれるステップＥ５と、をさらに含む。
【００３１】
ステップＤにおいて前記第２ユーザ端末がＣＳＧエリア位置イベントの発生を決定することは、第２ユーザ端末が自局が商店ＣＳＧエリアに入りまたは商店ＣＳＧエリアから離れることを検出した場合、ＣＳＧエリア位置イベントの発生を決定し、または、第２ユーザ端末がそれが自局の所属するホームＣＳＧエリアに入ることを検出した場合、ＣＳＧエリア位置イベントの発生を決定し、または、第１のユーザ端末が自局がほかの第２ユーザ端末の所属するホームＣＳＧエリアに入りまたはほかの第２ユーザ端末の所属するホームＣＳＧエリアから離れることを検出した場合、ＣＳＧエリア位置イベントの発生を決定すること、を含む。
【００３２】
移動サービス推薦システムであって、１つまたは複数の第２ユーザ端末が指定されている移動サービス推薦要求を送出する第１ユーザ端末と、前記第１ユーザ端末からの移動サービス推薦要求を受信し、位置サービス管理ネットワークへ位置サービス要求を送出する移動サービス推薦サーバと、前記１つまたは複数の第２ユーザ端末の位置情報、および前記第２ユーザ端末の所属するクローズドサブスクライバグループ（ＣＳＧ）エリアの位置情報を前記移動サービス推薦サーバに提供する位置サービス管理ネットワークと、を含み、前記移動サービス推薦サーバが、さらに各第２ユーザ端末へ移動サービス推薦確認を送出し、前記いずれの第２ユーザ端末が、位置イベントの発生を検出した際に、前記位置サービス管理ネットワークへ位置イベント報告を送信し、前記位置サービス管理ネットワークにより前記移動サービス推薦サーバをトリガーして移動サービスプッシュを行う。
【００３３】
前記位置サービス管理ネットワークは、ゲートウェイ移動位置センター（ＧＭＬＣ）と、移動性管理エンティティ（ＭＭＥ）と、ＣＳＧリスト管理サーバと、を含み、前記ＧＭＬＣが前記ＭＭＥへユーザおよびＣＳＧエリア位置提供の要求を送出し、前記ＭＭＥが前記ＣＳＧリスト管理サーバへＣＳＧエリア位置問い合わせを送出し、前記ＣＳＧリスト管理サーバが問い合わせるＣＳＧエリア位置を前記ＭＭＥに返信し、前記ＭＭＥがさらに前記移動サービス推薦要求によって指定された１つまたは複数の第２ユーザ端末へ位置イベントコール要求を送出し、位置イベントコール要求に対する前記１つまたは複数の第２ユーザ端末の返信に基づいて、前記ＧＭＬＣへユーザおよびＣＳＧエリア位置提供の確認を返信する。
【００３４】
前記位置サービス管理ネットワークは、前記ＧＭＬＣによって開始されたＣＳＧエリア位置イベント登録を受信し、ＣＳＧエリア位置イベント管理対象を生成するＣＳＧエリア位置イベント管理サーバ、をさらに含む。
【００３５】
前記移動サービス推薦サーバは、ユーザがユーザ端末を介してポータルに移動サービス推薦サービスを登録し、または店がポータルを介してユーザへＣＳＧエリア位置イベントに関連する移動サービスをプッシュするように、ログインできる移動サービス推薦ポータルを提供するポータルモジュールと、ユーザ端末へ事業者または店からの移動サービスをプッシュする移動サービスプッシュモジュールと、を含む。
【００３６】
前記移動サービス推薦サーバは、ユーザまたは店の登録を管理し、ＣＳＧエリア位置イベントに基づく移動サービス推薦ログを生成し、および統計課金情報を生成するログ管理および統計課金モジュールと、をさらに含む。
【００３７】
前記ユーザ端末は、移動サービス推薦ポータルにアクセスし、および／または前記移動サービス推薦サーバからプッシュされた移動サービスを受信するインターフェースモジュールと、当該ユーザ端末によってアクセス許容されたＣＳＧ識別子を管理するＣＳＧ管理モジュールと、ＣＳＧエリア位置イベントの発生を監視し、前記位置サービス管理ネットワークへＣＳＧエリア位置イベントを報告するイベント管理モジュールと、を含む。
【００３８】
前記ユーザ端末は、当該ユーザ端末がアイドル状態または接続状態でＣＳＧエリアに入ることを制御する移動性制御モジュール、をさらに含む。
【発明の効果】
【００３９】
上記からわかるように、本発明の実施形態に係る移動サービス推薦方法およびシステムによれば、ネットワークがＣＳＧエリア位置イベントの発生を知り、且つ関連移動サービスの推薦をトリガーすることができて、移動通信付加価値サービスに対するＨｅＮＢの価値を増加させ、ＨｅＮＢ消費のユーザ満足度を向上させる。
【００４０】
そして、本発明の実施形態に係る移動サービス推薦方法およびシステムによれば、移動サービス推薦サーバおよびＣＳＧエリア位置イベント管理サーバを利用して、移動ユーザとそのホームＨｅＮＢに関連する商店ＣＳＧエリアとの間の有機連絡、および当該移動ユーザとその関連ユーザのホームＣＳＧエリアとの間の有機連絡を確立して、移動サービス推薦におけるＨｅＮＢの潜在能力を十分に掘り起こし、移動サービス提供の知能性と使いやすさを増加させ、通信ネットワークの価値を向上させる。
【図面の簡単な説明】
【００４１】
【図１】従来技術においてＨｅＮＢが配置されているＥＰＳアーキテクチャを示す図である。
【図２】従来技術のＥＰＳにおいて位置イベントに基づく位置サービス汎用的な操作フローを示す図である。
【図３】本発明の一つの実施形態においてＣＳＧエリア位置イベントの感知に基づく移動サービス推薦システムのアーキテクチャを示す図である。
【図４】本発明の一つの実施形態においてＣＳＧエリア位置イベントの感知に基づく移動サービス推薦フローを示す図である。
【図５】本発明の他の実施形態においてＣＳＧエリア位置イベントの感知に基づく移動サービス推薦フローを示す図である。
【図６】本発明の別の実施形態においてＣＳＧエリア位置イベントの感知に基づく移動サービス推薦フローを示す図である。
【図７】本発明の一つの実施形態においてＣＳＧエリア位置イベント管理対象の構成を示す図である。
【図８】本発明の一つの実施形態においてＣＳＧリスト管理サーバの構成を示す図である。
【図９】本発明の一つの実施形態において移動サービス推薦サーバの構成を示す図である。
【図１０】本発明の一つの実施形態においてＵＥの構成を示す図である。
【発明を実施するための形態】
【００４２】
本発明の目的、解決手段およびメリットをさらに明確にするために、以下、図面を参照して実施形態を挙げながら、本発明をさらに詳しく説明する。
【００４３】
ＬＴＥ配置では、ＨｅＮＢが事業者またはユーザによって個人のホームのなかに配置され、移動ユーザの使用に供する非公共リソースとされる。このとき、ホームユーザがホームの付近の店から提供される割引情報を受信し、ホームＣＳＧエリアに入るほかの友達ユーザとオンラインゲームなどを行うことができるように、事業者またはユーザは、ホームＣＳＧエリアに入る移動ユーザへ特定のニーズを満たす移動サービスを推薦することを希望している。
【００４４】
また、ＨｅＮＢが事業者または店によってデパート、スーパー、店などの公共場所に配置され、これらの公共場所に入るユーザの使用に供する公共リソースとされる。このとき、事業者または店は、例えば、商店ＣＳＧエリアに入るユーザに現場割引情報を提供し、商店ＣＳＧエリアから離れるユーザに配達サービスの情報を提供し、付近ホームＣＳＧエリアに入るユーザに期間制限付きの割引情報を提供するなど、商店ＣＳＧエリアに進出する移動ユーザおよび付近ホームＣＳＧエリアに入る移動ユーザへ特定のニーズを満たす移動サービスを提供することを希望している。
【００４５】
上記のニーズを満たすために、本発明の実施形態では、ＣＳＧエリア位置イベントの感知に基づく移動サービス推薦システムおよび方法を提供して、ＥＰＣにおける１つまたは複数の設備を介し、ネットワークサーバとＵＥとの間のやりとりを利用して、１つまたは複数のＵＥとホームまたは商店ＣＳＧエリアとが関連するとき、ネットワークに位置イベントを感知させることで、ＵＥへ関連移動サービスを推薦することができる。
【００４６】
図３に示す移動サービス推薦システムに基づき、図４において本発明の一つの実施形態に係る移動サービスプッシュフローを示しており、以下のステップを含む。
【００４７】
ステップ４０１で、第１ＵＥは移動サービス推薦サーバへ移動サービス推薦要求を開始する。当該要求メッセージは、ＣＳＧエリア位置イベントに基づいて移動サービス推薦を行うことをネットワークサーバに要求することに用いられ、１つまたは複数の第２ＵＥ識別子、ＣＳＧカスタマイズ情報、サービスタイプ定義、移動サービス推薦定義、および要求の有効時間期限などを含む。
【００４８】
ここで、第１ＵＥとは移動サービス推薦要求を開始するＵＥを指しており、移動サービス推薦要求に付けられる第２ＵＥ識別子は第１ＵＥ識別子を含んでもよく、ほかのＵＥ識別子を含んでもいい。当該ほかのＵＥ識別子は第１ＵＥのユーザに関連するほかのユーザ（例えば、友達ユーザ）が使用するＵＥ識別子であっていい。説明すべきところとして、図４に示すフローにおいて、移動サービス推薦要求に付けられる第２ＵＥ識別子は第１ＵＥ識別子のみを含む。これに応じて、ステップ４０６〜４０８で、ＭＭＥは第１ＵＥだけと位置イベントコール確認を行う必要である。
【００４９】
ＣＳＧカスタマイズ情報は第１ＵＥの指定する商店名称などであってよく、当該ＣＳＧカスタマイズ情報は通信ネットワークで識別可能なＣＳＧ識別子ではない可能性がある。同様に、第１ＵＥは移動サービス推薦定義を介してネットワークから自身に推薦してもらいたい移動サービスを指定してよい。
【００５０】
本発明の一つの具体的な実現において、第１ＵＥは当該要求メッセージをＭＭＥに送信し、ＭＭＥはサービスタイプ定義に基づき当該要求メッセージが移動サービス推薦要求であることを決定すると、そのなかの１つまたは複数の第２ＵＥ識別子を取得し、且つ要求メッセージを移動サービス推薦サーバに送信する。
【００５１】
ステップ４０２で、移動サービス推薦サーバは位置サービス要求を開始する。当該要求メッセージは、ネットワーク側からＧＭＬＣへ関連情報の取得を要求することに用いられ、ＣＳＧエリア位置定義、位置イベント定義、および要求の有効時間期限などを含む。
【００５２】
具体的に、移動サービス推薦サーバは、１つまたは複数の第２ＵＥ識別子に基づいて、これらの第２ＵＥに関連するＣＳＧエリア、例えば、各第２ＵＥの所属するホームＣＳＧエリア、または現在の各第２ＵＥが位置する商店ＣＳＧエリアなどを決定する。
【００５３】
ステップ４０３で、ＧＭＬＣはＭＭＥへユーザおよびＣＳＧエリア位置提供の要求を送信する。当該要求メッセージにはユーザおよびＣＳＧエリア位置定義、位置イベント定義、および要求の有効時間期限などが含まれる。
【００５４】
ステップ４０４で、ＣＳＧエリア位置を問い合せる。具体的に、ＭＭＥはＣＳＧリスト管理サーバへ関連ＣＳＧエリアの位置情報を問い合せる。
【００５５】
ステップ４０５で、ＣＳＧエリア位置を返信する。具体的に、ＣＳＧリスト管理サーバはＭＭＥへＣＳＧエリア位置の問い合わせ結果を返信する。一般的に、当該問い合わせ結果はホーム基地局が第１回目の起動時に事業者へ提供した、検証済みの当該ホーム基地局の位置する地理位置情報であっていい。
【００５６】
ステップ４０６で、ＭＭＥと第１ＵＥとの間ではページング、認証および通知を実行する。当該ステップにおいて、ＭＭＥはＣＳＧエリア位置イベントを支持する能力が第１ＵＥにあるかどうかを検証する必要がある。
【００５７】
ステップ４０７で、ＭＭＥはセル位置決定済みの第１ＵＥへ位置イベントコールを送信する。当該コールメッセージにはＣＳＧエリア位置イベント定義が付けられ、具体的に、ＣＳＧエリア位置イベント内容、ＣＳＧエリア位置イベント報告頻度、およびＣＳＧエリア位置イベント有効期限などが含まれる。
【００５８】
ステップ４０８で、ステップ４０７の位置イベントコールが第１ＵＥに正確に受信され、かつ第１ＵＥがコールメッセージに付けられている位置イベント定義を支持する場合、当該第１ＵＥはＭＭＥへ位置イベントコール確認を返信するとともに、ＣＳＧエリア位置イベントの発生を監視し始める。
【００５９】
ステップ４０９で、ＣＳＧリスト管理サーバのＣＳＧエリア位置返信およびＵＥの位置イベントコール確認がすべてＭＭＥによって受信された後に、ＭＭＥはＧＭＬＣへユーザおよびＣＳＧエリア位置提供の確認を返信し、当該ステップはステップ４０３に対応している。
【００６０】
ステップ４１０で、ＧＭＬＣはユーザ位置提供の確認を受信した後に、ＣＳＧエリア位置イベント管理サーバへＣＳＧエリア位置イベント登録を開始する。当該登録メッセージにはユーザおよびＣＳＧエリア位置定義、位置イベント定義、および位置イベント有効時間期限などが含まれる。
【００６１】
ステップ４１１で、ＣＳＧエリア位置イベント管理サーバはＣＳＧエリア位置イベント登録を受信した後に、ＧＭＬＣへＣＳＧエリア位置イベント登録確認を返信する。
【００６２】
ステップ４１２で、ＧＭＬＣは移動サービス推薦サーバへステップ４０２で開始された位置サービス要求が成功に受け入れたかどうかを通知するための位置サービス応答を返信する。
【００６３】
ステップ４１３で、移動サービス推薦サーバは第１ＵＥへステップ４０１で開始された移動サービス推薦要求が成功に受け入れたかどうかを通知するための移動サービス推薦確認を返信する。
【００６４】
ステップ４１３の後には、ステップ４１４〜４１９のフローに進むようにしてよく、ステップ４１４’〜４１９’のフローに進むようにしてもよい。ここで、ステップ４１４からステップ４１９までは第１ＵＥがホームＣＳＧエリア位置に入るイベントが発生するシーンであり、ステップ４１４’からステップ４１９’までは第１ＵＥが商店ＣＳＧエリア位置に入りまたは商店ＣＳＧエリア位置から離れるイベントが発生するシーンである。
【００６５】
以下はステップ４１４〜４１９である。
【００６６】
ステップ４１４で、あるＣＳＧエリア位置イベントの発生が第１ＵＥに監視された。当該シーンにおいて、前記ＣＳＧエリア位置イベントはＵＥがホームＨｅＮＢ（ｈｏｍｅ  ＨｅＮＢ）にアクセスし、またはＵＥがホームＣＳＧエリアに入ることである。ここで、ホームＣＳＧエリアは１つまたは複数のホームＨｅＮＢがカバーするエリアである。
【００６７】
説明すべきところとして、ＵＥがホームＣＳＧエリアに入ることとは、ＵＥが当該ｈｏｍｅ  ＨｅＮＢの識別子を検出できたことを指すが、必ず当該ＵＥとｈｏｍｅ  ＨｅＮＢとが接続を確立することが必要なことではなく、即ち、必ず当該ＵＥがｈｏｍｅ  ＨｅＮＢにアクセスすることが必要なことではない。
【００６８】
ステップ４１５で、第１ＵＥはＭＭＥの回路ドメインまたはグループドメインとの接続を確立した後に、ＭＭＥへ位置イベント報告を送信する。位置イベント報告の定義により、一回の位置イベント報告であれば、当該報告を送信した後、ＵＥは位置イベント発生の監視を終了し、複数回の位置イベント報告であれば、当該報告を送信した後、ＵＥは位置イベント発生の監視を継続するが、２回の報告の時間間隔が最小間隔時間を超えない。
【００６９】
ステップ４１６で、ＭＭＥはＧＭＬＣへＣＳＧエリア位置イベントの発生を指示するためのユーザ位置報告を送信する。
【００７０】
ステップ４１７で、ＧＭＬＣはユーザ位置報告を正確に受信した後に、ＭＭＥへユーザ位置報告確認を返信し、当該ステップはステップ４１６に対応している。このとき、ＭＭＥは課金情報を記録することができる。
【００７１】
ステップ４１８で、ＧＭＬＣは移動サービス推薦サーバへ位置サービス応答を返信して、ステップ４０２に対応する。このとき、ＧＭＬＣは課金情報を記録することができる。
【００７２】
ステップ４１９で、移動サービス推薦サーバはステップ４０１において第１ＵＥによって要求されたサービスタイプ定義、移動サービス推薦定義、および要求の有効時間期限などの情報に基づいて、第１ＵＥへ移動サービスプッシュを開始し、例えばホームの付近の店から提供される割引情報を提供するなどである。
【００７３】
以下はステップ４１４’〜４１９’である。
【００７４】
ステップ４１４’で、あるＣＳＧエリア位置イベントの発生が第１ＵＥに監視された。当該シーンにおいて、前記ＣＳＧエリア位置イベントはＵＥが商店ＨｅＮＢ（ｓｔｏｒｅ  ＨｅＮＢ）にアクセスしまたは商店ＨｅＮＢとの接続を切断すること、或いはＵＥが商店ＣＳＧエリアに入りまたは商店ＣＳＧエリアから離れることである。ここで、商店ＣＳＧエリアは１つまたは複数の商店ＨｅＮＢがカバーするエリアである。
【００７５】
ステップ４１５’で、第１ＵＥはＭＭＥの回路ドメインまたはグループドメインとの接続を確立した後に、ＭＭＥへ位置イベント報告を送信する。位置イベント報告の定義により、一回の位置イベント報告であれば、当該報告を送信した後、ＵＥは位置イベント発生の監視を終了し、複数回の位置イベント報告であれば、当該報告を送信した後、ＵＥは位置イベント発生の監視を継続するが、２回の報告の時間間隔が最小間隔時間を超えない。
【００７６】
ステップ４１６’で、ＭＭＥはＧＭＬＣへＣＳＧエリア位置イベントの発生を指示するためのユーザ位置報告を送信する。
【００７７】
ステップ４１７’で、ＧＭＬＣはユーザ位置報告を正確に受信した後に、ＭＭＥへユーザ位置報告確認を返信して、ステップ４１６’に対応する。このとき、ＭＭＥは課金情報を記録することができる。
【００７８】
ステップ４１８’で、ＧＭＬＣは移動サービス推薦サーバへ位置サービス応答を返信して、ステップ４０２に対応する。このとき、ＧＭＬＣは課金情報を記録することができる。
【００７９】
ステップ４１９’で、移動サービス推薦サーバはステップ４０１において第１ＵＥによって要求されたサービスタイプ定義、移動サービス推薦定義、および要求の有効時間期限などの情報に基づいて、第１ＵＥへ移動サービスプッシュを開始し、例えば商店ＣＳＧエリアに入るユーザに現場割引情報を提供すること、商店ＣＳＧエリアから離れるユーザに配達サービスの情報を提供することなどである。
【００８０】
ここから分かるように、移動サービス推薦サーバは異なる位置イベントによって異なる移動サービスを推薦することができる。
【００８１】
図５に示すように、本発明の他の実施形態においてＣＳＧエリア位置イベントの感知に基づく移動サービス推薦フローは、以下のステップを含む。
【００８２】
ステップ５０１をＵＥ１によって開始して、ユーザから移動サービス推薦サーバへ移動サービス推薦要求を開始する。当該要求メッセージはＣＳＧエリア位置イベントに基づく移動サービス推薦に対する要求であり、ＵＥ１識別子、ＵＥ１に関連するＣＳＧ１識別子、ＵＥ２識別子、ＵＥ２に関連するＣＳＧ２識別子、サービスタイプ定義、移動サービス推薦定義、および要求の有効時間期限などを含む。ここで、ＣＳＧ１エリアはＨｅＮＢ１によりカバーされ、ＣＳＧ２エリアはＨｅＮＢ２によりカバーされる。
【００８３】
本発明の具体的な実現において、ＨｅＮＢ１はＵＥ１のホームＨｅＮＢであり、ＨｅＮＢ２はＵＥ２のホームＨｅＮＢである。
【００８４】
ステップ５０２において位置サービス請求が移動サービス推薦サーバにより開始され、ネットワーク側はＧＭＬＣへ関連情報の取得を要求する。当該要求メッセージにはＣＳＧエリア位置定義、位置イベント定義、および要求の有効時間期限などが含まれる。
【００８５】
ステップ５０３ではユーザおよびＣＳＧエリア位置を提供し、ＧＭＬＣはＭＭＥへユーザおよびＣＳＧエリア位置提供の要求を送信する。当該要求メッセージにはユーザおよびＣＳＧエリア位置定義、位置イベント定義、および要求の有効時間期限などが含まれる。
【００８６】
ステップ５０４はＣＳＧエリア位置問い合わせであり、ＭＭＥはＣＳＧリスト管理サーバへ関連ＣＳＧエリアの位置情報を問い合せる。
【００８７】
ステップ５０５はＣＳＧエリア位置返信であり、ＣＳＧリスト管理サーバはＭＭＥへＣＳＧエリア位置の問い合わせ結果を返信し、例えば、ホーム基地局が第１回目の起動時に事業者へ提供した、検証済みの当該ホーム基地局の位置する地理位置情報である。
【００８８】
ステップ５０６はＭＭＥとＵＥ１との間のページング、認証および通知であり、ＭＭＥはＵＥ１のＣＳＧエリア位置イベント支持能力を検証する。
【００８９】
ステップ５０７ではＭＭＥがセル位置決定済みのＵＥ１へ位置イベントコールを送信し、当該コールメッセージにはＣＳＧエリア位置イベント定義が付けられ、ＣＳＧエリア位置イベント内容、ＣＳＧエリア位置イベント報告頻度、ＣＳＧエリア位置イベント有効期限などが含まれる。
【００９０】
ステップ５０８で、ステップ５０７の位置イベントコールがＵＥ１に正確に受信され、かつＵＥ１がコールメッセージの位置イベント定義を支持する場合、ＵＥ１はＭＭＥへ位置イベントコール確認を返信するとともに、ＣＳＧエリア位置イベントの発生を監視し始める。
【００９１】
ステップ５０９はＭＭＥとＵＥ２との間のページング、認証および通知であり、ＭＭＥはＵＥ２のＣＳＧエリア位置イベント支持能力を検証する。
【００９２】
ステップ５１０ではＭＭＥがセル位置決定済みのＵＥ２へ位置イベントコールを送信し、当該コールメッセージにはＣＳＧエリア位置イベント定義が付けられ、ＣＳＧエリア位置イベント内容、ＣＳＧエリア位置イベント報告頻度、ＣＳＧエリア位置イベント有効期限などが含まれる。
【００９３】
ステップ５１１で、ステップ５０７の位置イベントコールがＵＥ２に正確に受信され、かつＵＥ２がコールメッセージに付けられている位置イベント定義を支持する場合、ＵＥ２はＭＭＥへ位置イベントコール確認を返信するとともに、ＣＳＧエリア位置イベントの発生を監視し始める。
【００９４】
説明すべきところとして、ＵＥ２が位置イベントコール確認を返信しないと、ＵＥ１はＨｅＮＢ２の関連情報を取得することができない。相応して、ステップ５１７’からステップ５２２’までのシーンは発生しない。
【００９５】
ステップ５１２で、ＣＳＧリスト管理サーバのＣＳＧエリア位置返信およびＵＥ１とＵＥ２の位置イベントコール確認メッセージを受信した後に、ＭＭＥはＧＭＬＣへユーザおよびＣＳＧエリア位置提供の確認を返信し、当該ステップはステップ５０３に対応している。
【００９６】
ステップ５１３で、ＧＭＬＣはユーザおよびＣＳＧエリア位置提供の確認を受信した後に、ＣＳＧエリア位置イベント管理サーバへＣＳＧエリア位置イベント登録を開始する。当該登録メッセージにはユーザおよびＣＳＧエリア位置定義、位置イベント定義、および位置イベント有効時間期限などが含まれる。
【００９７】
ステップ５１４で、ＣＳＧエリア位置イベント管理サーバはＣＳＧエリア位置イベント登録を受信した後に、ＧＭＬＣへＣＳＧエリア位置イベント登録確認を返信する。
【００９８】
ステップ５１５で、ＧＭＬＣは移動サービス推薦サーバへステップ５０２の位置サービス要求が成功に受け入れたかどうかを通知するための位置サービス応答を返信する。
【００９９】
ステップ５１６ａで、移動サービス推薦サーバはＵＥ１へステップ５０１の移動サービス推薦要求が成功に受け入れたかどうかを通知するための移動サービス推薦確認を返信する。
【０１００】
ステップ５１６ｂで、移動サービス推薦サーバはＵＥ２へＵＥ１によって開始された移動サービス推薦要求が成功に受け入れたかどうかを通知するための移動サービス推薦確認を返信する。
【０１０１】
ステップ５１７からステップ５２２まではＵＥ２がＣＳＧエリア位置に入るイベントが発生するシーンである。
【０１０２】
ステップ５１７で、例えば、ＵＥ２がＨｅＮＢ２接続にアクセスし、またはＨｅＮＢ２の識別子がＵＥ２によって検出されたなど、ＣＳＧエリア位置イベントの発生がＵＥ２に監視された。
【０１０３】
説明すべきところとして、本発明の一つの具体的な実現において、移動サービス推薦要求がＵＥ１によって開始されて、ＨｅＮＢ１の関連情報がＵＥ２に取得されなかったため、ＨｅＮＢ１の識別子がＵＥ２に検出されたとしても、ＣＳＧエリア位置イベントの発生がＵＥ２に監視されたと見なさない。
【０１０４】
ステップ５１８で、ＵＥ２はＭＭＥの回路ドメインまたはグループドメインとの接続を確立した後に、ＭＭＥへ位置イベント報告を送信する。位置イベント報告の定義により、一回の位置イベント報告であれば、当該報告を送信した後、ＵＥ２は位置イベント発生の監視を終了し、複数回の位置イベント報告であれば、当該報告を送信した後、ＵＥ２は位置イベント発生の監視を継続するが、２回の報告の時間間隔が最小間隔時間を超えない。
【０１０５】
ステップ５１９で、ＭＭＥはＧＭＬＣへＣＳＧエリア位置イベントの発生を指示するためのユーザ位置報告を送信する。
【０１０６】
ステップ５２０で、ＧＭＬＣはユーザ位置報告を正確に受信した後に、ＭＭＥへユーザ位置報告確認を返信して、ステップ５１９に対応する。このとき、ＭＭＥは課金情報を記録することができる。
【０１０７】
ステップ５２１で、ＧＭＬＣは移動サービス推薦サーバへ位置サービス応答を返信して、ステップ５０２に対応する。このとき、ＧＭＬＣは課金情報を記録することができる。
【０１０８】
ステップ５２２で、移動サービス推薦サーバはステップ５０１においてＵＥ１によって要求されたサービスタイプ定義、移動サービス推薦定義、要求の有効時間期限などの情報に基づいて、ＵＥ１へ移動サービスプッシュを開始し、例えば、ＵＥ２とオンラインゲームを行える情報などをＵＥ１へ提供する。
【０１０９】
ステップ５１７’からステップ５２２’まではＵＥ１がＣＳＧ２エリア位置に入りまたはＣＳＧ２エリア位置から離れるイベントが発生するシーンである。
【０１１０】
ステップ５１７’で、例えば、ＵＥ１がＨｅＮＢ２接続にアクセスしまたはＨｅＮＢ２との接続を切断し、或いはＨｅＮＢ２の識別子がＵＥ１によって検出されたなど、ＣＳＧエリア位置イベントの発生がＵＥ１に監視された。
【０１１１】
ステップ５１８’で、ＵＥ１はＭＭＥの回路ドメインまたはグループドメインとの接続を確立した後に、ＭＭＥへ位置イベント報告を送信する。位置イベント報告の定義により、一回の位置イベント報告であれば、当該報告を送信した後、ＵＥ１は位置イベント発生の監視を終了し、複数回の位置イベント報告であれば、当該報告を送信した後、ＵＥ１は位置イベント発生の監視を継続するが、２回の報告の時間間隔が最小間隔時間を超えない。
【０１１２】
ステップ５１９’で、ＭＭＥはＧＭＬＣへＣＳＧエリア位置イベントの発生を指示するためのユーザ位置報告を送信する。
【０１１３】
ステップ５２０’で、ＧＭＬＣはユーザ位置報告を正確に受信した後に、ＭＭＥへユーザ位置報告確認を返信して、ステップ５１９’に対応する。このとき、ＭＭＥは課金情報を記録することができる。
【０１１４】
ステップ５２１’で、ＧＭＬＣは移動サービス推薦サーバへ位置サービス応答を返信して、ステップ５０２に対応する。このとき、ＧＭＬＣは課金情報を記録することができる。
【０１１５】
ステップ５２２’で、移動サービス推薦サーバはステップ５０１においてＵＥ１によって要求されたサービスタイプ定義、移動サービス推薦定義、要求の有効時間期限などの情報に基づいて、ＵＥ２へ移動サービスプッシュを開始し、例えば、ＵＥ１とホームネットワークコンテンツを共有することをＵＥ２に提示することなどである。
【０１１６】
図６に示すように、本発明の別の実施形態においてＣＳＧエリア位置イベントの感知に基づく移動サービス推薦操作は、以下のステップを含む。
【０１１７】
ステップ６０１で、ユーザはＣＳＧエリア位置イベントの感知に基づく移動サービス推薦サービスを登録し、事業者から提供されたユーザポータルにＵＥまたは他の通信方式（例えば、ネットワーク端末）を介してログインする。登録の過程中に、ユーザは１つまたは複数のＵＥ識別子、各ＵＥに関連するＣＳＧ識別子、サービスタイプ定義、移動サービス推薦定義、および要求の有効時間期限などの情報を提供する。具体的に、当該ステップはステップ４０１またはステップ５０１に対応する。
【０１１８】
ステップ６０２で、ネットワークは当該移動サービス推薦要求が成功に受け入れたかどうかをショートメッセージ、マルチメディアメッセージ、メールまたは他の方式を介してユーザに通知する。当該ステップはステップ４１３またはステップ５１６に対応する。
【０１１９】
具体的に、移動サービス推薦要求は、当該要求を送出するユーザ、および当該ユーザに関連するほかのユーザに対することができる。ある場合では、当該要求を送出するユーザに対する部分は成功に受け入れるが、当該ユーザに関連するほかのユーザに対する部分は拒否されるおそれがある。例えば、ステップ５１１においてＵＥ２が位置イベントコール確認を返信しなかった場合、ステップ５１６ａにおいてネットワークからＵＥ１へ返信される移動サービス推薦確認では、ＵＥ２に対する移動サービス推薦要求が拒否されたことを通知する。
【０１２０】
ステップ６０３で、ＵＥはＣＳＧエリアに基づく位置イベントを報告する。具体的に、ＣＳＧエリア位置イベントの発生がＵＥに監視された後、ＵＥからネットワークへ位置イベント報告を自動的に送信するとともに、当該ＵＥを使用するユーザへ提示を送信する。当該ステップはステップ４１５、ステップ４１５’、ステップ５１８またはステップ５１８’に対応する。
【０１２１】
ステップ６０４で、ネットワークはショートメッセージ、マルチメディアメッセージ、メールまたは他の方式を介して、ＵＥへ移動サービスをプッシュし、これに応じて、ＵＥは移動サービスプッシュを受信する。当該ステップはステップ４１９、ステップ４１９’、ステップ５２２またはステップ５２２’に対応する。
【０１２２】
ここから分かるように、本発明の実施形態に係るフローにおいて、移動ユーザは移動サービス推薦サーバへ１つまたは複数のＵＥに対する移動サービス推薦サービス（即ち、登録過程）をカスタマイズし、ＵＥと１つまたは複数のＣＳＧエリアが関連される位置イベントが発生した後、ＵＥによりＣＳＧエリア位置イベントの発生を感知しかつ位置イベント報告を自動的に報告して、移動サービス推薦サーバが異なる位置イベントタイプに対して相応の移動サービスをプッシュするようにトリガーする。
【０１２３】
また、図３に示すシステムにおいて、ＣＳＧエリア位置イベント管理サーバは、ユーザが移動サービス推薦サービスを登録する際に、ＣＳＧエリア位置イベント管理対象を生成する。具体的に、図７は本発明の一つの実施形態に係るＣＳＧエリア位置イベント管理対象の構成を示している。図７からわかるように、ＵＥ識別子に対応するＣＳＧエリア位置イベントリストに対しては、ＣＳＧ識別子をインデックスとして、各ＣＳＧ識別子は１つのＣＳＧエリアに対応し、各ＣＳＧエリアは１つまたは複数のＣＳＧエリア位置イベントを発生することができる。実際の応用において、各ＣＳＧエリア位置イベントはあるＵＥが当該ＣＳＧエリアに入りまたは当該ＣＳＧエリアから離れることを指すことができる。
【０１２４】
図８は本発明の一つの実施形態に係るＣＳＧリスト管理サーバの構成を示す図であり、ＣＳＧを使用するユーザのＵＥ識別子を管理するＵＥ識別子管理モジュールと、ユーザの使用権限に対応するＣＳＧ識別子を管理するＣＳＧ識別子管理モジュールと、移動サービス推薦要求過程中にＭＭＥがＣＳＧエリア位置を問い合せることができるように、ＣＳＧエリア位置情報を管理するＣＳＧエリア位置管理モジュールと、を含む。
【０１２５】
図９は本発明の一つの実施形態に係る移動サービス推薦サーバの構成を示す図であり、ユーザがＵＥまたは他の通信方式を介してログインできるユーザポータルを提供し、当該ユーザのためにＣＳＧエリア位置イベントの感知に基づく移動サービス推薦を登録するユーザポータルモジュールと、店が移動サービス推薦サーバを介してユーザへＣＳＧエリア位置イベントの感知に基づく移動サービスをプッシュするように、店がＵＥまたは他の通信方式を介してログインできるサービス提供者ポータルを提供するサービス提供者ポータルモジュールと、ショートメッセージ、マルチメディアメッセージ、メールまたは他の方式を介して、ネットワークを経由してユーザへ事業者または店からの移動サービスをプッシュする移動サービスプッシュモジュールと、ユーザまたはサービス提供者の登録を管理し、ＣＳＧエリア位置イベントに基づく移動サービス推薦ログを生成、および統計課金情報を生成するログ管理および統計課金モジュールと、を含む。
【０１２６】
図１０は本発明の一つの実施形態に係るＵＥの構成を示す図であり、ショートメッセージ、マルチメディアメッセージ、メールまたは他の方式を介して、ユーザへ移動サービス推薦ポータルのアクセスおよびサービス受信機能を提供するインターフェースモジュールと、ＵＥによってアクセス許容されたＣＳＧ識別子リストを管理するＣＳＧ管理モジュールと、ここで、事業者、ユーザ、店はそれぞれの権限に応じて例えばあるＣＳＧ識別子を追加、削除するなどのように当該リスト内の対象を管理することができ、ＵＥがネットワークへＣＳＧエリア位置イベントを登録、および報告し、ＣＳＧエリア位置イベントの発生を監視することに用いられるイベント管理モジュールと、ここで、前記管理が、ＣＳＧエリア位置イベントの登録、監視および報告の少なくとも１項の操作を含むことが分かり、ＵＥがアイドル状態または接続状態でＣＳＧエリアに入るときの操作、例えばネットワーク側とのシグナリングやりとりなどを含む操作を制御する移動性制御モジュールと、を含む。
【０１２７】
上記は、本発明の好ましい実施形態にすぎず、本発明の保護範囲を限定するものではない。本発明の精神と原則内で行われる種々の修正、均等置換え、改善などは全て本発明の保護範囲内に含まれるべきである。
【図１】
2011188492.tif 000003
【図２】
2011188492.tif 000004
【図３】
2011188492.tif 000005
【図４】
2011188492.tif 000006
【図５】
2011188492.tif 000007
【図６】
2011188492.tif 000008
【図７】
2011188492.tif 000009
【図８】
2011188492.tif 000010
【図９】
2011188492.tif 000011
【図１０】
2011188492.tif 000012